(57)【要約】【課題】レバー部材の回転範囲をより大きくとること。【解決手段】支軸６４を中心として回転可能に配設したレバー部材６１と、直線に沿って移動可能に配設したスライド部材５２と、これらレバー部材６１及びスライド部材５２の間に動力を伝達する動力伝達機構とを備えた動作装置であって、動力伝達機構は、スライド部材５２とともに直線に沿って移動するように設けられた第１摺動溝６３ｃの内壁面６３ｃ１と、周面が内壁面６３ｃ１に当接した状態でレバー部材６１の回転に伴い支軸６４を中心とした円弧に沿って変位する円柱状の係合ピン６６とを備え、内壁面６３ｃ１がスライド部材５２の移動方向に対して直交する方向に延在している。【選択図】図９
2020037814.tif 000002
【特許請求の範囲】
【請求項１】
支軸を中心として回転可能に配設したレバー部材と、直線に沿って移動可能に配設したスライド部材と、これらレバー部材及びスライド部材の間に動力を伝達する動力伝達機構とを備えた動作装置であって、
前記動力伝達機構は、前記スライド部材とともに直線に沿って移動するように設けられた係合面と、前記係合面に当接した状態で前記レバー部材の回転に伴って変位する係合突部材とを備え、前記係合面が前記スライド部材の移動方向に対して直交する方向に延在していることを特徴とする動作装置。
【請求項２】
前記係合面は、前記スライド部材の移動方向に対して直交する方向に沿って溝状切欠を形成することにより構成されており、
前記係合突部材が前記溝状切欠に挿通されていることを特徴とする請求項１に記載の動作装置。
【請求項３】
前記スライド部材には、前記スライド部材の移動方向に沿った相対移動が阻止された状態で連係部材が配設され、前記連係部材に前記係合面が設けられていることを特徴とする請求項１に記載の動作装置。
【請求項４】
前記連係部材は、互いに交差する方向に沿って延在する第１係合片及び第２係合片を有し、前記第１係合片を介して前記スライド部材に配設され、前記第２係合片に前記係合面が設けられていることを特徴とする請求項３に記載の動作装置。
【請求項５】
請求項１から請求項４のいずれか一つに記載された動作装置の前記スライド部材が障子を構成する框の見込み面に長手に沿って移動可能に配設され、かつ前記動作装置の前記レバー部材が水平方向に延在する支軸を中心として回転可能となる状態で前記框の見付け面に配設されており、
前記レバー部材の回転により前記框に対して前記スライド部材が移動し、前記スライド部材に設けたロックピンがロック位置とアンロック位置とに切り替わることを特徴とする建具。
【請求項６】
前記支軸が見込み方向に延在する状態で前記レバー部材を前記框に配設し、
前記框の見付け面には、前記レバー部材よりも外周となる部位から室内に向けて突出した後、前記レバー部材を覆うように内周側に屈曲して延在する把手が設けられていることを特徴とする請求項５に記載の建具。
【発明の詳細な説明】
【技術分野】
【０００１】
本発明は、支軸を中心として回転可能に配設したレバー部材と、直線に沿って移動可能に配設したスライド部材と、これらレバー部材及びスライド部材の間に動力を伝達する動力伝達機構とを備えた動作装置及び建具に関する。
【背景技術】
【０００２】
例えば、建具の枠体と障子との間に設けられる施錠装置には、レバー部材とスライド部材とを備えて構成されたものがある。レバー部材は、支軸を中心として回転可能となる状態で障子の戸先に配置される框の見付け面に取り付けられている。レバー部材には、支軸の径方向に沿って長孔状の摺動溝が形成されている。スライド部材は、障子の框において外周側の見込み面に長手に沿って移動可能に配設されており、連動ピン及びロックピンを備えている。連動ピンは、レバー部材の長孔に挿通されており、長孔の両側内壁面に当接可能である。ロックピンは、スライド部材から枠体に向けて突出されたものである。このロックピンは、框に対してスライド部材が移動することにより、枠材に設けたロックプレートに対して見込み方向に対向するロック位置と、ロックプレートに対して見込み方向に非対向となるアンロック位置とに配置されるものである。
【０００３】
上記のように構成された施錠装置では、レバー部材を回転させると、連動ピンを介してスライド部材が框に対して移動することになり、ロックピンの位置をロック位置とアンロック位置とに変更することが可能となる（例えば、特許文献１参照）。
【先行技術文献】
【特許文献】
【０００４】
【特許文献１】実開平３−２９６７７号公報
【発明の概要】
【発明が解決しようとする課題】
【０００５】
ところで、この種のレバー部材とスライド部材とを備えた施錠装置では、レバー部材の回転範囲を大きくとれないという問題がある。すなわち、長孔の内壁面が鉛直方向に沿った姿勢に配置された状態からは、レバー部材を回転させても連動ピンに対して水平方向に力が加えられるだけであり、スライド部材を框の長手に沿って上下に移動させることが困難となる。このため、スライド部材を確実に移動させるには、長孔の内壁面が鉛直方向に沿った姿勢を含まないようにレバー部材の回転範囲を制限する必要がある。
【０００６】
なお、上述の問題は、施錠装置に限らず、支軸を中心として回転可能に配設したレバー部材と、直線に沿って移動可能に配設したスライド部材との間において動力を伝達する動作装置に同様に起こり得るものである。
【０００７】
本発明は、上記実情に鑑みて、レバー部材の回転範囲をより大きくとることのできる動作装置及び建具を提供することを目的とする。
【課題を解決するための手段】
【０００８】
上記目的を達成するため、本発明に係る動作装置は、支軸を中心として回転可能に配設したレバー部材と、直線に沿って移動可能に配設したスライド部材と、これらレバー部材及びスライド部材の間に動力を伝達する動力伝達機構とを備えた動作装置であって、前記動力伝達機構は、前記スライド部材とともに直線に沿って移動するように設けられた係合面と、前記係合面に当接した状態で前記レバー部材の回転に伴って変位する係合突部材とを備え、前記係合面が前記スライド部材の移動方向に対して直交する方向に延在していることを特徴とする。
【発明の効果】
【０００９】
本発明によれば、スライド部材の移動方向に対して直交する方向に延在した係合面に係合突状部を当接させるようにしている。このため、例えばレバー部材がスライド部材の移動方向に沿った姿勢に配置された状態からもレバー部材を回転させることが可能であり、レバー部材の回転範囲が制限されることがない。
【図面の簡単な説明】
【００１０】
【図１】本発明の実施の形態である動作装置を施錠装置として適用した建具を室内側から見た図である。
【図２】図１に示した建具の要部を拡大して示す横断面図である。
【図３】図１に示した建具の要部を拡大して示すもので、（ａ）はレバー部材が鉛直下方に配置された状態の横断面図、（ｂ）はレバー部材が水平方向に沿って配置された状態の横断面図である。
【図４】図１に示した建具に適用するレバーユニットを示すもので、（ａ）は室内側から見た図、（ｂ）は建具の内周側から見た図、（ｃ）は上方から見た図、（ｄ）は室外側から見た図である。
【図５】図４に示したレバーユニットの分解斜視図である。
【図６】図４に示したレバーユニットの縦断面図である。
【図７】図４に示したレバーユニットを室外側から見たもので、（ａ）はレバー部材が鉛直下方に配置された状態の図、（ｂ）はレバー部材が水平方向に沿って配置された状態の図、（ｃ）はレバー部材が鉛直上方に配置された状態の図である。
【図８】図４に示したレバーユニットにおいてユニットケースから第２ケース部を取り外して室外側から見たもので、（ａ）はレバー部材が鉛直下方に配置された状態の図、（ｂ）はレバー部材が水平方向に沿って配置された状態の図、（ｃ）はレバー部材が鉛直上方に配置された状態の図である。
【図９】図４に示したレバーユニットにおいてレバー部材を鉛直下方から鉛直上方まで回転させた状態を室内側から順に示した模式図である。
【発明を実施するための形態】
【００１１】
以下、添付図面を参照しながら本発明に係る動作装置及び建具の好適な実施の形態について詳細に説明する。なお、以下においては便宜上、見込み方向及び見付け方向という用語を用いて説明を行う。見込み方向とは、図中の矢印Ａで示すように、建具の奥行きに沿った方向である。見込み方向に沿った平面については見込み面と称する場合がある。見付け方向とは、後述する横枠３１，３２のように左右に沿って配置される部材の場合、見込み方向に直交した上下に沿う方向であり、縦枠３３，３４のように上下に沿って配置される部材の場合、見込み方向に直交した左右に沿う方向である。見付け方向に沿った平面については見付け面と称する場合がある。
【００１２】
図１は、本発明の実施の形態である動作装置を適用した建具を示したものである。ここで例示する建具は、家屋の玄関に設けられるドアであり、ドア枠１０と、ヒンジ１を介してドア枠１０に開閉可能に支持させたドアパネル２０とを備えている。ドア枠１０は、枠材１１，１２，１３，１４を四周枠組みすることによって構成したものである。ドアパネル２０は、図２に示すように、四周枠組みした骨材（図示せず）の２つの表面にそれぞれ表面材２１，２２を配設することによって構成した、いわゆるフラッシュドアパネルと称されるものである。図からも明らかなように、本実施の形態では、表面材２１，２２のほぼ中央となる部位に採風用の縦すべり出し窓２を備えたドアパネル２０を例示している。
【００１３】
縦すべり出し窓２は、枠体３０と、枠体３０に対して開閉される障子４０とを備えたものである。図には明示していないが、障子４０は、リンク機構を介して枠体３０に支持してあり、室内側に突出するように開くことが可能である。枠体３０は、上下の横枠３１，３２及び左右の縦枠３３，３４を四周枠組みすることによって構成したもので、ドアパネル２０の内部に収容することのできる寸法に構成してある。障子４０は、矩形状を成す面材４１の四周に上下の横框４２，４３及び左右の縦框４４，４５を装着することによって構成したものである。面材４１は、複層ガラス等のように透光性を有し、ドアパネル２０を閉じた状態でも室内に自然光を取り入れることができるものを適用している。
【００１４】
図２からも明らかなように、障子４０において戸先に配置される縦框（以下、戸先框４４という）及び枠体３０において戸先框４４に隣接して配置される縦枠（以下、戸先枠３３という）には、それぞれ戸先ヒレ部４４ａ，３３ａが設けてある。戸先框４４の戸先ヒレ部（以下、框ヒレ部４４ａという）は、室内側に位置する縁部から外周に向けて延在したもので、その先端部が戸先枠３３において室内に臨む見付け面３３ｂを覆っている。戸先枠３３の戸先ヒレ部（以下、枠ヒレ部３３ａという）は、室外側に位置する縁部から内周に向けて延在したもので、その先端部が戸先框４４において室内に臨む見付け面４４ｂを覆っている。
【００１５】
また、戸先框４４と戸先枠３３との間には、施錠装置５０が設けてある。施錠装置５０は、枠体３０に対して障子４０の開閉を制限するもので、図１〜図３に示すように、戸先枠３３に配設したロックプレート５１と、戸先框４４に配設したスライド部材５２及びレバーユニット６０とを備えて構成してある。なお、以下においては便宜上、建具に取り付けられた状態の姿勢で施錠装置５０の各構成要素についてそれぞれの方向を特定している。
【００１６】
ロックプレート５１は、戸先枠３３の内周側に位置する見込み面３３ｃから戸先框４４に向けて突出したもので、室内側に位置する縁部の互いに高さの異なる複数箇所（実施の形態では上下２箇所）に固定してある。スライド部材５２は、上下に沿って延在した長尺状部材である。このスライド部材５２は、戸先框４４の長手に沿って移動可能、かつ見込み方向へは移動が規制された状態で、外周側に位置する見込み面４４ｆにおいて室外側に位置する縁部に配設してある。スライド部材５２の戸先框４４からの突出寸法は、障子４０を開閉する際にロックプレート５１と干渉することのない値に設定してある。
【００１７】
スライド部材５２には、戸先枠３３に対向する面にロックピン５３及び連動ピン（動力伝達機構）５４が設けてある。これらロックピン５３及び連動ピン５４は、スライド部材５２の移動に伴って上下に移動するようにスライド部材５２に固定したものである。ロックピン５３は、スライド部材５２から戸先枠３３に向けて突出した柱状部材であり、戸先枠３３に設けたロックプレート５１のそれぞれに対応して設けてある。より具体的に説明すると、それぞれのロックピン５３は、スライド部材５２が上方に移動した場合、図１に示すように、ロックプレート５１よりも上方に位置し、見込み方向においてロックプレート５１に非対向となる。スライド部材５２が下方に移動した場合には、見込み方向においてロックプレート５１に近接して対向するようにロックピン５３がスライド部材５２に配設してある。連動ピン５４は、スライド部材５２から戸先枠３３に向けて突出した柱状部材であり、スライド部材５２の上下方向において中間となる位置に唯一設けてある。この連動ピン５４は、スライド部材５２が上方に移動した状態から下方に移動した状態までの間、見込み方向においてロックプレート５１に対向することはない。
【００１８】
レバーユニット６０は、戸先框４４に対してスライド部材５２を上下に移動させるための操作入力部となるもので、スライド部材５２の連動ピン５４に対応する高さ位置において戸先框４４の室内に臨む見付け面４４ｃに取り付けてある。本実施の形態のレバーユニット６０は、図３〜図８に示すように、レバー部材６１、駆動アーム（動力伝達機構）６２、連係部材（動力伝達機構）６３を備えて構成してある。
【００１９】
レバー部材６１は、先端部にノブ６１ａを備えた平板状部材である。このレバー部材６１は、基端部が支軸６４を介して支持部材６５の基板部６５ａに支持され、支持部材６５に対して支軸６４の軸心を中心として回転することが可能である。支持部材６５の基板部６５ａは、戸先框４４の見付け面４４ｃに対してほぼ平行となるように配置されるものである。支軸６４は、見込み方向に沿ってほぼ水平となる状態で基板部６５ａを貫通している。図５に示すように、支軸６４は、基板部６５ａに対応する部分が円柱状に形成してある一方、両端部が角筒状に構成してあり、基端側の角筒状を成す部分がレバー部材６１の基端部に嵌合している。
【００２０】
駆動アーム６２は、外形が長円状を成す平板である。図からも明らかなように、駆動アーム６２の長手に沿った寸法は、レバー部材６１に対して十分に短い長さに形成してある。この駆動アーム６２は、一方の端部が支軸６４において先端側の角筒状を成す部分に嵌合してあり、レバー部材６１が回転した場合に同一方向に同一の回転角度だけ回転することが可能である。駆動アーム６２の他端部には、係合ピン（係合突部材）６６が設けてある。係合ピン６６は、先端部が太径の円柱状を成すもので、支軸６４と平行となる状態で駆動アーム６２から室外に向けて突出している。また、駆動アーム６２の他端部には、円弧状の位置決め凹部６２ａが形成してある。
【００２１】
これら支持部材６５の基板部６５ａと駆動アーム６２との間には、樹脂バネ部材６７が配設してある。樹脂バネ部材６７は、樹脂材によって形成した矩形の厚板状を成すもので、複数の係合突起６７ａを介して支持部材６５の基板部６５ａに取り付けてある。
【００２２】
この樹脂バネ部材６７には、駆動アーム６２よりも外周において支軸６４の上下となる部位にそれぞれ位置決め突起６７ｂが設けてある。位置決め突起６７ｂは、図７及び図８に示すように、水平方向に延在する弾性片６７ｃの中間部からそれぞれ支軸６４の中心に向けて突出したもので、レバー部材６１を回転させた場合にクリック感を付与するように機能する。
【００２３】
すなわち、これらの位置決め突起６７ｂは、駆動アーム６２が回転すると、駆動アーム６２の他端部が近接するに従って駆動アーム６２の外周面によって押圧され、弾性片６７ｃが弾性変形することによって外周側に移動する。その後、位置決め突起６７ｂは、駆動アーム６２が鉛直方向に沿って配置されると、位置決め凹部６２ａに対向するため、弾性片６７ｃの弾性復元力によって内周側に移動し、位置決め凹部６２ａに嵌合、かつ押圧された状態となる。この状態は、弾性片６７ｃを弾性変形させて位置決め突起６７ｂを位置決め凹部６２ａから逸脱させるだけの操作力をレバー部材６１に加えない限り継続されることになり、レバー部材６１が不用意に回転することがない。本実施の形態では、支軸６４の上下となる部位に位置決め突起６７ｂが設けてあるため、レバー部材６１の先端が鉛直上方となった状態及び鉛直下方となった状態において位置決め突起６７ｂが位置決め凹部６２ａに嵌合することになる。
【００２４】
連係部材６３は、図３、図５〜図８に示すように、第１係合片６３ａ及び第２係合片６３ｂを有して構成したものである。第１係合片６３ａは、支持部材６５の基板部６５ａに対して平行となるように延在した平板状を成している。第２係合片６３ｂは、第１係合片６３ａの戸先側に位置する縁部から室外側に向けてほぼ直角に屈曲した後、室外に向けて漸次戸先から離隔するように傾斜し、さらにその先端部が第１係合片６３ａに対してほぼ直角となるように屈曲したものである。第１係合片６３ａと第２係合片６３ｂとは、金属板を適宜折り曲げることによって一体に成形してある。
【００２５】
第１係合片６３ａ及び第２係合片６３ｂのそれぞれには、水平方向に沿って摺動溝６３ｃ，６３ｄが形成してある。摺動溝６３ｃ，６３ｄは、一定の幅を有した横長の溝状を成す切欠であり、それぞれ上下に位置する内壁面６３ｃ１，６３ｄ１についても水平方向に沿って延在している。第１係合片６３ａの摺動溝（以下、第１摺動溝（溝状切欠）６３ｃという）には、駆動アーム６２の係合ピン６６の先端部が摺動可能に挿通し、かつ第２係合片６３ｂの摺動溝（以下、第２摺動溝６３ｄという）には、スライド部材５２の連動ピン５４が摺動可能に挿通している。つまり、駆動アーム６２の係合ピン６６には、第１摺動溝６３ｃの内壁面（係合面）６３ｃ１が当接し、かつスライド部材５２の連動ピン５４には、第２摺動溝６３ｄの内壁面６３ｄ１が当接可能となる。
【００２６】
上述したレバーユニット６０の構成要素のうち、支持部材６５、樹脂バネ部材６７、駆動アーム６２については、戸先框４４に取り付けたユニットケース７０の内部に収容してあり、また連係部材６３については、第１係合片６３ａのみがユニットケース７０の内部に収容してある。ユニットケース７０は、左右に分割可能となる第１ケース部（把手）７０Ａ及び第２ケース部７０Ｂを有し、これら第１ケース部７０Ａと第２ケース部７０Ｂの間に構成される空間に、支持部材６５、樹脂バネ部材６７、駆動アーム６２及び連係部材６３の第１係合片６３ａを収容している。
【００２７】
連係部材６３の第２係合片６３ｂについては、第１ケース部７０Ａと第２ケース部７０Ｂとの間に構成されるリニアガイド溝７１を介してユニットケース７０の外部に延出している。リニアガイド溝７１は、上下方向に沿って延在した直線状を成し、ユニットケース７０に対して第２係合片６３ｂが上下方向に沿って移動するのを許容するものである。
【００２８】
また、係合ピン６６は、室外側に位置する先端部が第２ケース部７０Ｂに設けた円弧ガイド溝７２の内部に配置され、その移動が円弧ガイド溝７２の範囲に規定されている。円弧ガイド溝７２は、図４（ｄ）に示すように、支軸６４の軸心を中心とした円弧状を成すものである。本実施の形態では、支軸６４の軸心に対して上方に位置する部分から下方に位置するまでの間を戸先側に凸となる半円弧状の円弧ガイド溝７２が形成してある。つまり、ユニットケース７０に対する係合ピン６６の移動範囲は、支軸６４の周囲において戸先側を経由した上方から下方までの１８０°の範囲に制限されることになる。
【００２９】
さらに、支軸６４の基端部は、第２ケース部７０Ｂに形成した切欠溝７３を介して外部に露出しており、この露出した部分にレバー部材６１を支持している。支軸６４の基端部及びレバー部材６１は、第１ケース部７０Ａに設けた把手部７４によって覆ってある。把手部７４は、第１ケース部７０Ａの室内側に位置する部分から内周側に向けて延在したものである。把手部７４の延在端部は、第２ケース部７０Ｂを超える位置まで達している。把手部７４の延在端部において室外に臨む面には、指掛け用の突条７４ａが設けてある。把手部７４の上下両端面は、支軸６４から等距離にあり、レバー部材６１の先端が鉛直上方もしくは鉛直下方となった場合にノブ６１ａのみが外部に露出するように寸法が設定してある。
【００３０】
このユニットケース７０は、框ヒレ部４４ａの室外に臨む見付け面４４ｄから第１ケース部７０Ａ及び支持部材６５にネジＳを螺合することにより、戸先框４４の室内に臨む見付け面４４ｃに固定してある。把手部７４において第２ケース部７０Ｂを超えて延在する部分と、戸先框４４の見付け面４４ｃとの間には、手指の先端を挿入することのできる隙間が確保されている。ユニットケース７０から突出する６３の第２係合片６３ｂは、框ヒレ部４４ａに形成した切欠溝４４ｅを介して室外側に延在し、第２摺動溝６３ｄにスライド部材５２の連動ピン５４が摺動可能に挿通している。
【００３１】
上記のように構成した施錠装置５０を備える建具では、図７（ａ）及び図８（ａ）に示すように、レバー部材６１の先端部が鉛直下方に向いた解錠状態となると、支軸６４に対して係合ピン６６が上方に位置した状態となる。従って、ユニットケース７０に対して連係部材６３が上方に移動した状態となり、連動ピン５４を介して連係部材６３に係合したスライド部材５２が戸先框４４に対して上方に移動した状態となる。このため、戸先枠３３に設けたロックプレート５１に対してスライド部材５２のロックピン５３がそれぞれアンロック位置に保持される。これにより、室内側から把手部７４を介して障子４０を室内側に引き寄せれば、枠体３０に対して障子４０を開くことができ、ドア枠１０に対してドアパネル２０を閉じた状態においても、室内の換気を行うことが可能となる。
【００３２】
上述の状態からノブ６１ａを介してレバー部材６１を上方に向けて回転させると、支軸６４に対して係合ピン６６が円弧に沿って移動しながらユニットケース７０に対して漸次下方に移動することになる。このため、レバー部材６１の先端部が鉛直上方に向いた施錠状態では、ユニットケース７０に対して連係部材６３が下方に移動し、連動ピン５４を介して連係部材６３に係合したスライド部材５２が戸先框４４に対して下方に移動した状態となる。これにより、戸先枠３３に設けたロックプレート５１に対してスライド部材５２のロックピン５３がロック位置に保持される。この状態からは、把手部７４を介して障子４０を室内側に引き寄せたとしても、ロックピン５３がロックプレート５１に当接するため、枠体３０に対して障子４０を開くことができない。以降、レバー部材６１を適宜操作することにより、枠体３０に対する障子４０の開閉制御を行うことが可能となる。
【００３３】
ここで、上述した建具によれば、図９に示すように、ユニットケース７０に対して連係部材６３が上下方向に沿ってのみ移動可能であり、第１係合片６３ａに設けた第１摺動溝６３ｃが常に水平方向に沿って延在した状態となる。従って、レバー部材６１の回転に伴って移動する係合ピン６６と連係部材６３とは、常に水平方向に沿った第１摺動溝６３ｃの内壁面６３ｃ１に対して係合ピン６６の外周面が当接することになる。このため、レバー部材６１の回転姿勢が如何なる状態であっても、係合ピン６６の周面からは内壁面６３ｃ１に対して上下方向に沿った力のみが作用することになる。これにより、例えばレバー部材６１がスライド部材５２の移動方向に沿って上下に延在する姿勢に配置された場合にも、これを回転操作することでスライド部材５２を移動させることが可能であり、レバー部材６１の回転範囲が制限されることがない。
【００３４】
しかも、上述したように、係合ピン６６からは第１摺動溝６３ｃの内壁面６３ｃ１に対して左右方向の力が加えられることがないため、レバー部材６１を操作する際の操作力が大きくなる事態を招来することがなく、操作性の点で極めて有利となる。
【００３５】
さらに、スライド部材５２のロックピン５３がロック位置もしくはアンロック位置に配置された状態においては、レバー部材６１が把手部７４によって覆われ、ノブ６１ａのみが外部に露出するだけであるため、適用する建具の外観品質を低下させるおそれがない。
【００３６】
なお、上述した実施の形態では、玄関用のドアパネル２０に設けた採風用の縦すべり出し窓２において、枠体３０と障子４０との間の開閉制御を行う施錠装置５０として用いられる動作装置を例示しているが、本発明はこれに限定されず、支軸を中心として回転可能に配設したレバー部材と、直線に沿って移動可能に配設したスライド部材と、これらレバー部材及びスライド部材の間に動力を伝達する動力伝達機構とを備えたものであれば、その他ものにも適用することが可能である。
【００３７】
また、レバー部材６１とスライド部材５２との間に連係部材６３を介在させ、連係部材６３に第１摺動溝６３ｃを設けて係合面となる内壁面６３ｃ１を構成するようにしているが、スライド部材に直接係合面を設けるようにしても良い。さらに、連係部材６３を適用する場合に上述した実施の形態では、第１係合片６３ａと第２係合片６３ｂとが互いに交差する方向に延在したものを適用しているため、スライド部材５２の表面にレバー部材６１を設ける必要がなく、設計の自由度を高めることが可能であるが、第１係合片と第２係合片とは互いに平行となるように延在していても構わない。また、スライド部材５２の連動ピン５４に対して連係部材６３の第２摺動溝６３ｄを挿通させるようにしているが、スライド部材５２と連係部材６３との間は直線に沿った相対移動が阻止されていれば十分であり、第２摺動溝は必ずしも必要ではない。
【００３８】
以上のように、本発明に係る動作装置は、支軸を中心として回転可能に配設したレバー部材と、直線に沿って移動可能に配設したスライド部材と、これらレバー部材及びスライド部材の間に動力を伝達する動力伝達機構とを備えた動作装置であって、前記動力伝達機構は、前記スライド部材とともに直線に沿って移動するように設けられた係合面と、前記係合面に当接した状態で前記レバー部材の回転に伴って変位する係合突部材とを備え、前記係合面が前記スライド部材の移動方向に対して直交する方向に延在していることを特徴としている。
【００３９】
この発明によれば、スライド部材の移動方向に対して直交する方向に延在した係合面に係合突状部を当接させるようにしている。このため、例えばレバー部材がスライド部材の移動方向に沿った姿勢に配置された状態からもレバー部材を回転させることが可能であり、レバー部材の回転範囲が制限されることがない。
【００４０】
また本発明は、上述した動作装置において、前記係合面は、前記スライド部材の移動方向に対して直交する方向に沿って溝状切欠を形成することにより構成されており、前記係合突部材が前記溝状切欠に挿通されていることを特徴としている。
【００４１】
この発明によれば、レバー部材の回転によりスライド部材を往復移動させることができる。
【００４２】
また本発明は、上述した動作装置において、前記スライド部材には、前記スライド部材の移動方向に沿った相対移動が阻止された状態で連係部材が配設され、前記連係部材に前記係合面が設けられていることを特徴としている。
【００４３】
この発明によれば、スライド部材に直接係合面を設ける必要がないため、スライド部材の寸法に制限が加えられることがない。
【００４４】
また本発明は、上述した動作装置において、前記連係部材は、互いに交差する方向に沿って延在する第１係合片及び第２係合片を有し、前記第１係合片を介して前記スライド部材に配設され、前記第２係合片に前記係合面が設けられていることを特徴としている。
【００４５】
この発明によれば、スライド部材の表面にレバー部材を設ける必要がなく、設計の自由度が高くなる。
【００４６】
また、本発明に係る建具は、上述した動作装置のスライド部材が障子を構成する框の見込み面に長手に沿って移動可能に配設され、かつ前記動作装置のレバー部材が水平方向に延在する前記支軸を中心として回転可能となる状態で障子を構成する框の見付け面に配設されており、前記レバー部材の回転により前記框に対して前記スライド部材が移動し、前記スライド部材に設けたロックピンがロック位置とアンロック位置とに切り替わることを特徴としている。
【００４７】
この発明によれば、大きな操作力を要することなくレバー部材を介した施解錠操作を行うことが可能となる。
【００４８】
また本発明は、上述した建具において、前記支軸が見込み方向に延在する状態で前記レバー部材を前記框に配設し、前記框の見付け面には、前記レバー部材よりも外周となる部位から室内に向けて突出した後、前記レバー部材を覆うように内周側に屈曲して延在する把手が設けられていることを特徴としている。
【００４９】
この発明によれば、レバー部材を把手によって覆うことが可能となり、適用する建具の外観品質を損なうおそれがなくなる。
【符号の説明】
【００５０】
４０  障子、４４  戸先框、４４ｃ  戸先框の見付け面、４４ｆ  戸先框の見込み面、５０  施錠装置、５２  スライド部材、５３  ロックピン、５４  連動ピン、６０  レバーユニット、６１  レバー部材、６２  駆動アーム、６３  連係部材、６３ａ  第１係合片、６３ｂ  第２係合片、６３ｃ  第１摺動溝、６３ｃ１  内壁面、６４  支軸、６６  係合ピン、７０Ａ  第１ケース部、７４  把手部
【図１】
2020037814.tif 000003
【図２】
2020037814.tif 000004
【図３】
2020037814.tif 000005
【図４】
2020037814.tif 000006
【図５】
2020037814.tif 000007
【図６】
2020037814.tif 000008
【図７】
2020037814.tif 000009
【図８】
2020037814.tif 000010
【図９】
2020037814.tif 000011